(57)【要約】【課題】施工現場にて簡単に取り付けることができる上に、補修としても簡単に行うことができる軒樋用ドレンを提供することにある。【解決手段】軒樋の底板に設けられた排水孔に上方から挿入され、落ち葉避けやゴミ避けとしての機能を有する上ドレン部材（７）が、同軒樋より下方に位置する下ドレン部材（８）に対して着脱自在に差し込まれるものである。そして、上記上ドレン部材（７）の脚部（１４）が、上記下ドレン部材（８）の内壁部（１５）に着脱自在に差し込まれて係合するものである。【選択図】　　　　図１
2004044246.tif 000002
【特許請求の範囲】
【請求項１】
軒樋の底板に設けられた排水孔に上方から挿入され、落ち葉避けやゴミ避けとしての機能を有する上ドレン部材が、同軒樋より下方に位置する下ドレン部材に対して着脱自在に差し込まれるものであることを特徴とする軒樋用ドレン。
【請求項２】
上記上ドレン部材の脚部が、上記下ドレン部材の内壁部に着脱自在に差し込まれて係合するものであることを特徴とする請求項１記載の軒樋用ドレン。
【請求項３】
上記上ドレン部材に一定間隔ごとに切り欠かれて形成された上フランジ部分を有しており、同上ドレン部材が上記下ドレン部材に対して差し込まれている際に、この上フランジ部分と噛み合うように上記下ドレン部材に下フランジ部分を形成していることを特徴とする請求項１または請求項２記載の軒樋用ドレン。
【発明の詳細な説明】
【０００１】
【発明の属する技術分野】
本発明は、軒樋用ドレンに関し、さらに詳しくは、一般に自在ドレンと称されており、軒樋の底板に取り付けられるのに有用な軒樋用ドレンに関するものである。
【０００２】
【従来の技術】
従来の軒樋の底板に取り付けられる軒樋用ドレンとしては、例えば、実開昭５９−１７１１２４号公報に開示されているものであり、図４に示すごとく、軒樋の底板に開口される孔に上方から挿入され、落ち葉避けやゴミ避けとしての機能を有する上部ドレン部材（５１）と、この上部ドレン部材（５１）の外周に下方から螺合される下部ドレン部材（５２）とからなっているものが知られていた。
【０００３】
また、このような軒樋用ドレンは、上記上部ドレン部材（５１）および上記下部ドレン部材（５２）の上端縁外周に突設される両フランジ部（５３）で軒樋の底板に狭着して取り付けられるようになっていたものである。
【０００４】
そして、上記上部ドレン部材（５１）にて形成される通水流路を通じて、上記軒樋内の雨水が排水されるようになっているものであった。なお、上記下部ドレン部材（５２）の外周には竪樋の上端部分が嵌合されて、上記通水流路から排水される雨水が上記竪樋内を流れ落ちるようになっていたものである。
【０００５】
【発明が解決しようとする課題】
ところで、このような軒樋用ドレンを使用して軒樋と竪樋を接続する際に、最初、建築物の軒先に軒樋を取り付けて、その後、この種の軒樋用ドレンを取り付けてから、この軒樋用ドレンに上記竪樋を接続する手順をとっていたものであった。
【０００６】
したがって、この軒樋用ドレンの取り付け施工作業としては、軒樋の存在する高い場所の施工現場にて行われていたものであり、このような高い場所の施工現場にて、上記軒樋用ドレンの上部ドレン部材（５１）と下部ドレン部材（５２）とを螺合させる作業は、時間がかかって、作業効率が悪い上に、現場での施工としても非常に困難なものであった。しかも、落ち葉避けやゴミ避けとしての機能を有する上部ドレン部材（５１）が破損した場合、上部ドレン部材（５１）と下部ドレン部材（５２）とを螺合させているために、上部ドレン部材（５１）を取り替えるといったような補修としても、非常に困難なものであった。
【０００７】
本発明は、上記の事実に鑑みてなされたものであって、その目的とするところは、施工現場にて簡単に取り付けることができる上に、補修としても簡単に行うことができる軒樋用ドレンを提供することにある。
【０００８】
【課題を解決するための手段】
本発明の請求項１に係る軒樋用ドレンは、軒樋（１）の底板（２）に設けられた排水孔（６）に上方から挿入され、落ち葉避けやゴミ避けとしての機能を有する上ドレン部材（７）が、同軒樋（１）より下方に位置する下ドレン部材（８）に対して着脱自在に差し込まれるものであることを特徴とする。
【０００９】
本発明の請求項２に係る軒樋用ドレンは、上記上ドレン部材（７）の脚部（１４）が、上記下ドレン部材（８）の内壁部（１５）に着脱自在に差し込まれて係合するものであることを特徴とする。
【００１０】
本発明の請求項３に係る軒樋用ドレンは、上記上ドレン部材（７）に一定間隔ごとに切り欠かれて形成された上フランジ部分（５）を有しており、同上ドレン部材（７）が上記下ドレン部材（８）に対して差し込まれている際に、この上フランジ部分（５）と噛み合うように上記下ドレン部材（８）に下フランジ部分（９）を形成していることを特徴とする。
【００１１】
【発明の実施の形態】
以下、本発明の実施形態について図面に基づいて詳しく説明する。
【００１２】
図１は、本発明の一実施形態に係る軒樋用ドレンを示す分解斜視図である。図２は、本発明の一実施形態に係る軒樋用ドレンを示す斜視図である。図３は、本発明の一実施形態に係る軒樋用ドレンを使用した軒樋と竪樋の接続状態を示す縦断面図である。
【００１３】
本発明の軒樋用ドレンは、図１ないし図３に示すごとく、軒樋（１）の底板（２）に設けられた排水孔（６）に上方から挿入され、落ち葉避けやゴミ避けとしての機能を有する上ドレン部材（７）が、同軒樋（１）より下方に位置する下ドレン部材（８）に対して着脱自在に差し込まれるものである。
【００１４】
本実施形態の軒樋用ドレンは、図３に示すごとく、軒樋（１）の底板（２）に取り付けられるものである。この軒樋（１）の底板（２）に開口される排水孔（６）に上方から挿入される上ドレン部材（７）が、落ち葉避けやゴミ避けとしての機能を有しているものである。そして、この上ドレン部材（７）が、同軒樋（１）の底板（２）の下方に位置する下ドレン部材（８）に対して着脱自在に差し込まれることで、ドレン本体（３）が形成されているものである。
【００１５】
図１ないし図３に示すごとく、上記上ドレン部材（７）の中間部に突出する端縁外周、および、上記下ドレン部材（８）の上端縁外周には、それぞれ上フランジ部分（５）と下フランジ部分（９）が突設しているものである。この上フランジ部分（５）は、上記上ドレン部材（７）に一定間隔ごとに切り欠かれて形成されているものであり、同上ドレン部材（７）が上記下ドレン部材（８）に対して差し込まれている際に、同上フランジ部分（５）と噛み合うように上記下ドレン部材（８）に下フランジ部分（９）を形成しているものである。
【００１６】
上記軒樋（１）は、図３に示すごとく、例えば、角型の樋であり、平坦な底板（２）と、この底板（２）の前後で一体に立設されている前壁部（１１）および後壁部（１２）でなっているものである。この軒樋（１）としては、硬質合成樹脂で押し出し成形したり、樹脂で被覆された金属板を折曲加工したりすることによって形成されたものである。この軒樋（１）の前壁部（１１）としては、本実施形態においては、後壁部（１２）よりも高いものであるが、これには制限されないものである。
【００１７】
また、上記前壁部（１１）および上記後壁部（１２）の上端縁部分には、図３に示すごとく、中空状の耳部（１３）が一体に形成されているものである。そして、上記軒樋（１）の底板（２）の幅方向の略中央には、上述したとおり、上記上ドレン部材（７）を挿入できる大きさの略円形状の排水孔（６）が開口されているものである。しかも、同上ドレン部材（７）においては、上フランジ部分（５）が排水孔（６）の周縁に係止されることにより、上記軒樋（１）から落下することなく同軒樋（１）内に存するものである。
【００１８】
図１ないし図３に示すごとく、上記上ドレン部材（７）の上端開口部状には、ゴミ除け用のオーバーフロー筒部（１０）を一体に立設されているものである。なお、上記上ドレン部材（７）および下ドレン部材（８）は共に円筒形状であり、硬質合成樹脂にて一体に形成されたものである。また、上記下ドレン部材（８）の下部における外周には下方から竪樋（２０）の上端部分が嵌合して接続されているものである。
【００１９】
上記上ドレン部材（７）の上端開口部上に立設されるオーバーフロー筒部（１０）は、図１ないし図３に示すごとく、上端開口部の周縁に上方に突設する複数の脚片（１８）と、全ての脚片（１８）の上端間に結合されるもので下方に向かうにつれて、径が小さくなる形状の筒部本体（１９）とでなっているものである。
【００２０】
上記上ドレン部材（７）においては、図１および図３に示すごとく、下部に設けられた脚部（１４）の外周面が、上記下ドレン部材（８）の内壁部（１５）に着脱自在に差し込まれて係合するものであり、上記脚部（１４）としては、全て同じ高さに存しているものである。
【００２１】
本発明は、このような構成をとることによって、落ち葉避けやゴミ避けとしての機能を有する上ドレン部材（７）としては軒樋（１）の底板（２）に設けられた排水孔（６）に上方から挿入しながら、同軒樋（１）より下方に位置する下ドレン部材（８）に対して差し込むだけで現場での施工は完結するので、軒樋（１）の存在する高い場所の施工であっても、作業効率が良くて、時間もかからないものである。また、上ドレン部材（７）が破損した場合であっても、同上ドレン部材（７）が、下ドレン部材（８）に対して着脱自在に差し込まれているだけなので、このような破損した上ドレン部材（７）を外して、新しい上ドレン部材（７）に取り替えるといったような補修としても、非常に簡単に行えるものである。
【００２２】
すなわち、施工現場にて簡単に取り付けることができる上に、補修としても簡単に行うことができるものである。
【００２３】
また、図１ないし図３に示すごとく、上記上ドレン部材（７）の脚部（１４）が、上記下ドレン部材（８）の内壁部（１５）に着脱自在に差し込まれて係合するものであると、上ドレン部材（７）の脚部（１４）としては軒樋（１）の底板（２）に設けられた排水孔（６）に上方から挿入しながら、同軒樋（１）より下方に位置する下ドレン部材（８）の内壁部（１５）に対して差し込むだけで現場での施工は確実に完結するので、軒樋（１）の存在する高い場所の施工であっても、作業効率が確実に良くなり、時間も確実にかからないものである。また、上ドレン部材（７）が破損した場合であっても、同上ドレン部材（７）の脚部（１４）が、下ドレン部材（８）の内壁部（１５）に対して着脱自在に差し込まれているだけであるために、このような破損した上ドレン部材（７）を外して、新しい上ドレン部材（７）に取り替えるといったような補修としても、より一層簡単に行えるようになるものである。
【００２４】
すなわち、施工現場にてより一層簡単に取り付けることができる上に、補修としてもより一層簡単に行うことができるものである。
【００２５】
さらに、図１ないし図３に示すごとく、上記上ドレン部材（７）に一定間隔ごとに切り欠かれて形成された上フランジ部分（５）を有しており、同上ドレン部材（７）が上記下ドレン部材（８）に対して差し込まれている際に、この上フランジ部分（５）と噛み合うように上記下ドレン部材（８）に下フランジ部分（９）を形成しているものであると、上ドレン部材（７）が下ドレン部材（８）に対して差し込まれて取り付け施工が完結することにより、上フランジ部分（５）と下フランジ部分（９）とが互いに噛み合い、上ドレン部材（７）と下ドレン部材（８）とが互いにずれ動いたりすることは確実になくなるものであり、結果として、施工後のドレン本体（３）の状態が非常に良くなるものである。
【００２６】
次に、本発明の軒樋用ドレンの組立方法について詳しく説明する。まず、軒樋（１）の底板（２）の排水孔（６）に、上ドレン部材（７）を挿入する。次に、竪樋（２０）を接続した下ドレン部材（８）に上記上ドレン部材（７）を、同上ドレン部材（７）の脚部（１４）が上記下ドレン部材（８）の内壁部（１５）に入るように押し込み挿入する。このようにして軒樋用ドレンができあがるものである。この時、上述のように、上フランジ部分（５）と下フランジ部分（９）とにより、上記軒樋（１）の底板（２）が図３に示すごとき挟持される構造となるものである。なお、上記上ドレン部材（７）の上フランジ部分（５）は、上記軒樋（１）の底板（２）内面と接着固定されて、上記下ドレン部材（８）は、竪樋（２０）と接着固定されるものである。
【００２７】
また、上記上ドレン部材（７）の上端開口部上に立設されるオーバーフロー筒部（１０）により、落葉やゴミ片などが、筒部本体（１９）の外周、あるいは、脚片（１８）により止められて、同上ドレン部材（７）の上端開口部上には至らず、また、この落葉やゴミ片などがオーバーフロー筒部（１０）の周辺に堆積しても、雨水は筒部本体（１９）の上端開口から流入して、同上ドレン部材（７）の通水流路（４）、および、上記下ドレン部材（８）を通じて、上記竪樋（２０）内に流れて、支障なくスムーズに排水除去されるものである。
【００２８】
【発明の効果】
本発明の請求項１に係る軒樋用ドレンによると、落ち葉避けやゴミ避けとしての機能を有する上ドレン部材（７）としては軒樋（１）の底板（２）に設けられた排水孔（６）に上方から挿入しながら、同軒樋（１）より下方に位置する下ドレン部材（８）に対して差し込むだけで現場での施工は完結するので、軒樋（１）の存在する高い場所の施工であっても、作業効率が良くて、時間もかからないものである。また、上ドレン部材（７）が破損した場合であっても、同上ドレン部材（７）が、下ドレン部材（８）に対して着脱自在に差し込まれているだけなので、このような破損した上ドレン部材（７）を外して、新しい上ドレン部材（７）に取り替えるといったような補修としても、非常に簡単に行えるものである。
【００２９】
すなわち、施工現場にて簡単に取り付けることができる上に、補修としても簡単に行うことができるものである。
【００３０】
本発明の請求項２に係る軒樋用ドレンによると、請求項１記載の場合に加えて、上ドレン部材（７）の脚部（１４）としては軒樋（１）の底板（２）に設けられた排水孔（６）に上方から挿入しながら、同軒樋（１）より下方に位置する下ドレン部材（８）の内壁部（１５）に対して差し込むだけで現場での施工は確実に完結するので、軒樋（１）の存在する高い場所の施工であっても、作業効率が確実に良くなり、時間も確実にかからないものである。また、上ドレン部材（７）が破損した場合であっても、同上ドレン部材（７）の脚部（１４）が、下ドレン部材（８）の内壁部（１５）に対して着脱自在に差し込まれているだけであるために、このような破損した上ドレン部材（７）を外して、新しい上ドレン部材（７）に取り替えるといったような補修としても、より一層簡単に行えるようになるものである。
【００３１】
すなわち、施工現場にてより一層簡単に取り付けることができる上に、補修としてもより一層簡単に行うことができるものである。
【００３２】
本発明の請求項３に係る軒樋用ドレンによると、請求項１または請求項２記載の場合に加えて、上ドレン部材（７）が下ドレン部材（８）に対して差し込まれて取り付け施工が完結することにより、上フランジ部分（５）と下フランジ部分（９）とが互いに噛み合い、上ドレン部材（７）と下ドレン部材（８）とが互いにずれ動いたりすることは確実になくなるものであり、結果として、施工後のドレン本体（３）の状態が非常に良くなるものである。
【図面の簡単な説明】
【図１】本発明の一実施形態に係る軒樋用ドレンを示す分解斜視図である。
【図２】本発明の一実施形態に係る軒樋用ドレンを示す斜視図である。
【図３】本発明の一実施形態に係る軒樋用ドレンを使用した軒樋と竪樋の接続状態を示す縦断面図である。
【図４】一従来例に係る軒樋用ドレンを示す分解斜視図である。
【符号の説明】
１　　軒樋
２　　底板
５　　上フランジ部分
６　　排水孔
７　　上ドレン部材
８　　下ドレン部材
９　　下フランジ部分
１４　脚部
１５　内壁部
【図１】
2004044246.tif 000003
【図２】
2004044246.tif 000004
【図３】
2004044246.tif 000005
【図４】
2004044246.tif 000006